【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
識別情報の可変表示を実行して表示結果を導出表示する可変表示手段に予め定められた特定表示結果が導出表示されたときに遊技者にとって有利な有利状態に制御する遊技機であって、
遊技者の動作を検出可能な検出手段と、
未だ実行されない識別情報の可変表示に関する情報を保留記憶として記憶する保留記憶手段と、
保留記憶に対応した表示を行う保留表示手段と、
を備え、
前記保留表示手段は、所定条件の成立に基づいて特殊保留表示を実行可能であり、
前記保留表示手段により特殊保留表示が実行されているときに前記検出手段によって遊技者の動作が検出されたことに基づいて、特殊保留表示の表示態様を変化させる特別演出を実行する特別演出実行手段を更に備え、
前記特別演出実行手段は、特殊保留表示に対応した保留記憶に基づく識別情報の可変表示が実行されるまでの期間が所定期間以下となった後に前記検出手段によって遊技者の動作が検出されたことに基づいて、演出時間が前記特別演出よりも短い短縮特別演出を実行して特殊保留表示の表示態様を変化させることを特徴とする遊技機。
【請求項２】
識別情報の可変表示を実行して表示結果を導出表示する可変表示手段に予め定められた特定表示結果が導出表示されたときに遊技者にとって有利な有利状態に制御する遊技機であって、
遊技者の動作を検出可能な検出手段と、
未だ実行されない識別情報の可変表示に関する情報を保留記憶として記憶する保留記憶手段と、
保留記憶に対応した表示を行う保留表示手段と、
を備え、
前記保留表示手段は、所定条件の成立に基づいて特殊保留表示を実行可能であり、
前記保留表示手段により特殊保留表示が実行されているときに前記検出手段によって遊技者の動作が検出されたことに基づいて、特殊保留表示の表示態様を変化させる特別演出を実行する特別演出実行手段を更に備え、
前記保留表示手段は、前記保留記憶手段に記憶された保留記憶の数が所定数以下のときに、新たに前記保留記憶手段に保留記憶が記憶された場合に、特殊保留表示の実行を制限することを特徴とする遊技機。
【請求項３】
遊技の進行を制御する遊技制御手段と、
演出装置の制御を行う演出制御手段と、
を備えることを特徴とする請求項１又は２に記載の遊技機。
【手続補正２】
【補正対象書類名】明細書
【補正対象項目名】０００７
【補正方法】変更
【補正の内容】
【０００７】
（１）上記目的を達成するため、本願の第１の観点に係る遊技機は、  
識別情報（例えば、飾り図柄）の可変表示を実行して表示結果を導出表示する可変表示手段（例えば、画像表示装置５）に予め定められた特定表示結果（例えば、大当り組合せの最終停止図柄）が導出表示されたときに遊技者にとって有利な有利状態（例えば、大当り遊技状態）に制御する遊技機（例えば、パチンコ遊技機１）であって、
遊技者の動作を検出可能な検出手段（例えば、遊技者によるプッシュボタン３１Ｂの押下を検出するプッシュセンサ３５Ｂ及び演出制御用ＣＰＵ１２０）と、
未だ実行されない識別情報の可変表示に関する情報を保留記憶として記憶する保留記憶手段（例えば、ＲＡＭ１２２に設けられ、図１５のステップＳ６０１において１増加し、ステップＳ６０３において１減少する保留記憶数カウント値）と、
保留記憶に対応した表示（例えば、図２１の保留表示図柄画像２０１などの表示）を行う保留表示手段（例えば、図２０のステップＳ５４５における保留表示の制御を行う演出制御用ＣＰＵ１２０）と、
を備え、
前記保留表示手段は、所定条件の成立（例えば、図１５のステップＳ６０９において特殊保留表示の実行が決定されたこと）に基づいて特殊保留表示（例えば、図２１のボタン画像２０１ａの表示）を実行可能であり、
前記保留表示手段により特殊保留表示が実行されているときに前記検出手段によって遊技者の動作が検出されたこと（例えば、図２０のステップＳ５４６において遊技者によるプッシュボタン３１Ｂの押下が検出されたこと）に基づいて、特殊保留表示の表示態様を変化させる特別演出（例えば、図２１のボタン画像２０１ａの表示を星マークの画像２０１ｃに変化させる演出）を実行する特別演出実行手段（例えば、図２０のステップＳ６４９において、特殊保留表示の表示態様を変化させる保留表示制御を行う演出制御用ＣＰＵ１２０）を更に備え、
前記特別演出実行手段は、特殊保留表示に対応した保留記憶に基づく識別情報の可変表示が実行されるまでの期間が所定期間以下（例えば、遊技者によるプッシュボタン３１Ｂの押下が検出されたときの特殊保留表示に対応する保留が保留１個目）となった後に前記検出手段によって遊技者の動作が検出されたことに基づいて、演出時間が前記特別演出よりも短い短縮特別演出を実行して特殊保留表示の表示態様を変化させること（例えば、演出制御用ＣＰＵ１２０が、図２０のステップＳ６４９において通常よりも時間の短い特殊保留表示の表示態様を変化させる保留表示制御を行うこと）を特徴とする。
【手続補正３】
【補正対象書類名】明細書
【補正対象項目名】０００９
【補正方法】変更
【補正の内容】
【０００９】
（２）上記目的を達成するため、本願の第２の観点に係る遊技機は、  
識別情報（例えば、飾り図柄）の可変表示を実行して表示結果を導出表示する可変表示手段（例えば、画像表示装置５）に予め定められた特定表示結果（例えば、大当り組合せの最終停止図柄）が導出表示されたときに遊技者にとって有利な有利状態（例えば、大当り遊技状態）に制御する遊技機（例えば、パチンコ遊技機１）であって、
遊技者の動作を検出可能な検出手段（例えば、遊技者によるプッシュボタン３１Ｂの押下を検出するプッシュセンサ３５Ｂ及び演出制御用ＣＰＵ１２０）と、
未だ実行されない識別情報の可変表示に関する情報を保留記憶として記憶する保留記憶手段（例えば、ＲＡＭ１２２に設けられ、図１５のステップＳ６０１において１増加し、ステップＳ６０３において１減少する保留記憶数カウント値）と、
保留記憶に対応した表示（例えば、図２１の保留表示図柄画像２０１などの表示）を行う保留表示手段（例えば、図２０のステップＳ５４５における保留表示の制御を行う演出制御用ＣＰＵ１２０）と、
を備え、
前記保留表示手段は、所定条件の成立（例えば、図１５のステップＳ６０９において特殊保留表示の実行が決定されたこと）に基づいて特殊保留表示（例えば、図２１のボタン画像２０１ａの表示）を実行可能であり、
前記保留表示手段により特殊保留表示が実行されているときに前記検出手段によって遊技者の動作が検出されたこと（例えば、図２０のステップＳ５４６において遊技者によるプッシュボタン３１Ｂの押下が検出されたこと）に基づいて、特殊保留表示の表示態様を変化させる特別演出（例えば、図２１のボタン画像２０１ａの表示を星マークの画像２０１ｃに変化させる演出）を実行する特別演出実行手段（例えば、図２０のステップＳ５４９において、特殊保留表示の表示態様を変化させる保留表示制御を行う演出制御用ＣＰＵ１２０）を更に備え、
前記保留表示手段は、前記保留記憶手段に記憶された保留記憶の数が所定数以下のときに、新たに前記保留記憶手段に保留記憶が記憶された場合（例えば、図１６のステップＳ６２２において保留記憶数カウント値が１である場合）に、特殊保留表示の実行を制限すること（例えば、演出制御用ＣＰＵ１２０が、図１６のステップＳ６２３において、保留１個目に対応する保留表示が特殊保留表示の表示態様変化後の保留表示となるように保留表示パターンを設定し、図２０のステップＳ６５０において、その保留表示パターンに応じた保留表示制御を行うこと）を特徴とする。